(57)【要約】【課題】頭部への衝撃を緩和すると共に、外観に優れたヘッドガード機能付き帽子を提供する。【解決手段】頭部への衝撃を緩和するヘッドガード機能付き帽子であって、緩衝材を内包し柔軟性を有する表皮２で形成された第１の帽子１と、第１の帽子１の外側を被覆する第２の帽子と、第１の帽子１の外周に一定の間隔をおいて設けられた複数の第１のスナップボタン４と、第２の帽子の内周に一定の間隔をおいて設けられ、各第１のスナップボタン４とそれぞれ嵌合する複数の第２のスナップボタンと、を備える。【選択図】図２
2019218662.tif 000002
【特許請求の範囲】
【請求項１】
頭部への衝撃を緩和するヘッドガード機能付き帽子であって、
緩衝材を内包し柔軟性を有する表皮で形成された第１の帽子と、
前記第１の帽子の外側を被覆する第２の帽子と、
前記第１の帽子の外周に設けられた第１の係止手段と、
前記第２の帽子の内周に設けられ、前記各第１の係止手段とそれぞれ係合する第２の係止手段と、を備えることを特徴とするヘッドガード機能付き帽子。
【請求項２】
請求項１記載のヘッドガード機能付き帽子に適用される第１の帽子であって、
緩衝材を内包し柔軟性を有する表皮で形成され、外周に設けられた第１の係止手段を備えることを特徴とする第１の帽子。
【請求項３】
請求項１記載のヘッドガード機能付き帽子に適用される第２の帽子であって、
前記第１の帽子の外側を被覆し、内周に設けられ、前記各第１の係止手段とそれぞれ係合する第２の係止手段を備えることを特徴とする第２の帽子。
【発明の詳細な説明】
【技術分野】
【０００１】
本発明は、頭部への衝撃を緩和するヘッドガード機能付き帽子に関する。
【背景技術】
【０００２】
従来から、頭部への衝撃を緩和するためのヘッドガード機能付き帽子が提案されている。例えば、特許文献１には、着用者の頭部保護を的確に行なうと共に、通気性がよく、布製の作業帽と変わらない外観を有する体裁のよい作業帽が開示されている。この作業帽は、通気性のある帽子本体と、この帽子本体に内装できるヘルメット本体の周胴部に下縁に達する径寸法調整用の切欠が適当数設けられた合成樹脂製の簡易ヘルメットより構成されている。そして、簡易ヘルメットの頂部が、帽子本体に内装されたときに帽子本体の頂部形状を内側から保持する外側頂部と、この外側頂部との間に若干の間隔が形成された状態としてヘルメット本体と一体成形された内側頂部との二重構造とされていて、外側頂部と内側頂部にはそれぞれ幅方向に延びる長窓孔を所要の間隔をおいて縞模様状に配設している。
【０００３】
また、特許文献２には、二重構造の帽体の間隙部分まで清浄化することができる保護帽が開示されている。この保護帽は、内層の係合部と、外層の係合部とが着脱自在となっており、これら内外層を分離することにより、帽体の清掃が容易となり、帽体に付着した汚れを除去することができるように構成されている。
【０００４】
また、特許文献３には、従来の作業用ヘルメット、ニット製、布製または合成樹脂製等の帽子にそのまま使用することができ、経済的に優れ、洗濯にも耐えて繰り返し使用でき、かつ、消臭効果を有するインナー型帽子が開示されている。このインナー型帽子では、微粉末の竹炭がスプレーコーティングされた不織布のコーティング部を内側にして形成し、インナー型帽子の縁部は頭部側に折り返された折り返し部を有し、該折り返し部の全周または一部には伸縮性のある紐帯が添着された伸縮部を有する。
【０００５】
また、特許文献４には、ヘルメット装着時の見栄えを向上でき、単独でも頭部にフィットして帽子として用いることができる帽子が開示されている。この帽子は、クラウン部と、スベリ部とを有し、クラウン部に本体切離部が形成され、本体切離部の一方の端縁部には、周方向に延出されたスライド片が設けられ、他方の端縁部には挿入部が形成され、挿入部に挿入されたスライド片が、収縮可能な弾性帯状体によって、該挿入部に引き込まれるように弾性的に引っ張られる。ヘルメットなしで頭部に被せるときには、弾性帯状体の収縮力で頭部外周にフィットし、ヘルメット外周に被せるときには、本体スライド片が引き出されて拡張することにより、ヘルメット外周に装着でき、かつ、スベリ部がヘルメット下面を覆うように構成されている。
【０００６】
また、特許文献５には、頭髪の抜け落ち防止のための水泳用帽子の機能と、装飾的な帽子の見た目の良さを併せ持つ水中ウォーキング用帽子が開示されている。この水中ウォーキング用帽子は、合成繊維の生地を使った外帽子の被り口付近に結合された外帽子側面ファスナーと、合成繊維を使った内帽子の被り口にゴムが縫合された付近に結合した内帽子側面ファスナーとが、面ファスナーの機能を使って着脱可能に結合し一体化した二重構造を有する。
【先行技術文献】
【特許文献】
【０００７】
【特許文献１】特開２００５−０４２９８号公報
【特許文献２】特開平１１−１２４７１９号公報
【特許文献３】実用新案登録第３１４８３３２号明細書
【特許文献４】特開２０１１−２１９９０１号公報
【特許文献５】実用新案登録第３２０７８３７号明細書
【発明の概要】
【発明が解決しようとする課題】
【０００８】
しかしながら、特許文献１、２、および４に係る帽子は、硬質の材料で形成されたヘルメットによって頭部への衝撃を緩和しようとしている。このようなヘルメットは堅いため、ユーザの頭部に完全にフィットさせることは容易ではない。また、重量が大きくなり、ユーザに負担を与える場合もある。また、特許文献３記載のインナー型帽子も、硬質の材料で形成されたヘルメットと組み合わせた場合は、ユーザの頭部に完全にフィットさせることは容易ではない。一方、特許文献３記載のインナー型帽子をニット製または布製の帽子と組み合わせた場合は、ユーザの頭部への衝撃を緩和するという機能は極めて小さいものになってしまう。また、特許文献５に係る水中ウォーキング用帽子では、ユーザの頭部への衝撃を緩和する機能がない。
【０００９】
本発明は、このような事情に鑑みてなされたものであり、頭部への衝撃を緩和すると共に、外観に優れたヘッドガード機能付き帽子を提供することを目的とする。
【課題を解決するための手段】
【００１０】
（１）上記の目的を達成するために、本発明は、以下のような手段を講じた。すなわち、本発明のヘッドガード機能付き帽子は、頭部への衝撃を緩和するヘッドガード機能付き帽子であって、緩衝材を内包し柔軟性を有する表皮で形成された第１の帽子と、前記第１の帽子の外側を被覆する第２の帽子と、前記第１の帽子の外周に設けられた第１の係止手段と、前記第２の帽子の内周に設けられ、前記各第１の係止手段とそれぞれ係合する第２の係止手段と、を備えることを特徴とする。
【００１１】
このように、緩衝材を内包し柔軟性を有する表皮で形成された第１の帽子を有するので、ユーザの頭部にフィットし、衝撃を緩和することができる。また、第１の帽子の外側を被覆する第２の帽子を有するので、デザイン性を高めたり、他のデザインを有する第２の帽子に交換したりすることが可能となる。また、第１の帽子と第２の帽子とを、第１の係止手段と第２の係止手段とで留めることができるので、第１の帽子に第２の帽子を容易に着脱させることが可能となる。
【００１２】
（２）また、本発明の第１の帽子は、上記（１）に係るヘッドガード機能付き帽子に適用される第１の帽子であって、緩衝材を内包し柔軟性を有する表皮で形成され、外周に設けられた第１の係止手段を備えることを特徴とする。
【００１３】
このように、緩衝材を内包し柔軟性を有する表皮で形成された第１の帽子を有するので、ユーザの頭部にフィットし、衝撃を緩和することができる。また、第１の帽子と第２の帽子とを、第１の係止手段と第２の係止手段とで留めることができるので、第１の帽子に第２の帽子を容易に着脱させることが可能となる。
【００１４】
（３）また、本発明の第２の帽子は、上記（１）に係るヘッドガード機能付き帽子に適用される第２の帽子であって、前記第１の帽子の外側を被覆し、内周に設けられ、前記各第１の係止手段とそれぞれ嵌合する第２の係止手段を備えることを特徴とする。
【００１５】
このように、第１の帽子の外側を被覆するので、デザイン性を高めたり、他のデザインを有する第２の帽子に交換したりすることが可能となる。また、第１の帽子と第２の帽子とを、第１の係止手段と第２の係止手段とで留めることができるので、第１の帽子に第２の帽子を容易に着脱させることが可能となる。
【発明の効果】
【００１６】
本発明によれば、第１の帽子の外側を被覆する第２の帽子を有するので、デザイン性を高めたり、他のデザインを有する第２の帽子に交換したりすることが可能となる。また、第１の帽子と第２の帽子とを、第１の係止手段と第２の係止手段とで留めることができるので、第１の帽子に第２の帽子を容易に着脱させることが可能となる。
【図面の簡単な説明】
【００１７】
【図１】本実施形態に係るヘッドガード機能付き帽子の第１の帽子の外観図である。
【図２】第１の帽子を図１に示した状態から上下に反転させて開口端部側から表した外観図である。
【図３】第２の帽子の外観図である。
【図４】第２の帽子を図３に示した状態から上下に反転させて開口端部側から表した外観図である。
【図５】第２の帽子の変形例の外観図である。
【発明を実施するための形態】
【００１８】
本発明者らは、ユーザの頭部への衝撃を緩和させようとするとき、硬質の材料で形成されたヘルメットを用いた場合は、デザイン性を高めることが容易ではないことに着目し、帽子を二重構造として、衝撃吸収性を有すると共に外観のデザイン性を高めたり、ユーザの好みのデザインを有する帽子に交換したりすることを見出し、本発明に至った。
【００１９】
すなわち、本発明のヘッドガード機能付き帽子は、頭部への衝撃を緩和するヘッドガード機能付き帽子であって、緩衝材を内包し柔軟性を有する表皮で形成された第１の帽子と、前記第１の帽子の外側を被覆する第２の帽子と、前記第１の帽子の外周に設けられた第１の係止手段と、前記第２の帽子の内周に設けられ、前記各第１の係止手段とそれぞれ係合する第２の係止手段と、を備えることを特徴とする。
【００２０】
これにより、本発明者らは、ユーザの頭部にフィットし、衝撃を緩和することを可能とした。また、デザイン性を高めたり、他のデザインを有する第２の帽子に交換したりすることを可能とした。さらに、第１の帽子に第２の帽子を容易に着脱させることを可能とした。以下、本発明の実施形態について、図面を参照しながら具体的に説明する。
【００２１】
図１は、本実施形態に係るヘッドガード機能付き帽子の第１の帽子の外観図である。また、図２は、第１の帽子を図１に示した状態から上下に反転させて開口端部側から表した外観図である。第１の帽子１は、緩衝材を内包し柔軟性を有する表皮２で形成されている。緩衝材は、衝撃吸収性を有する材料であれば良く、特に限定されるものではないが、例えば、衝撃吸収性を有するクッション材・発泡材、弾力性を有する樹脂・ゴム・繊維などを用いることができる。第１の帽子１の開口端部近傍の外周には、帯状のスナップボタン取付部３が設けられており、このスナップボタン取付部３には、一定の間隔をおいて複数の第１のスナップボタン４が設けられている。これらの第１のスナップボタン４は、第１の係止手段を構成する。また、第１の帽子１の開口端部近傍の内周には、ユーザの頭部と直接接触する保護帯５が設けられている。なお、第１のスナップボタン４は、雄型のボタンを用いることができるが、本発明は、これに限定されるわけではない。
【００２２】
このように、第１の帽子１は、緩衝材を内包しているため、ユーザの頭部を保護する機能を発揮すると共に、柔軟性を有する表皮で形成されていることから、ユーザの頭部へのフィット感を高めて使い心地の良い帽子を実現することが可能となる。なお、第１の帽子１は、緩衝材の種類を変更して、緩衝機能のより高い緩衝材を内包するものや、通気性を高めたものなど、複数種類の第１の帽子１を提供することが可能である。これにより、ユーザは、緩衝機能の高い第１の帽子や通気性の高い第１の帽子など、ニーズに応じた第１の帽子１を選択したり、交換したりすることが可能となる。
【００２３】
図３は、第２の帽子の外観図である。また、図４は、第２の帽子を図３に示した状態から上下に反転させて開口端部側から表した外観図である。第２の帽子１０は、一般的なキャップタイプの帽子の形状を有しており、第２の帽子本体１１と、つば部１２とを有している。そして、第２の帽子本体１１は、図１および図２に示した第１の帽子１の外側を被覆する。ここでは、一般的なキャップタイプの帽子を示したが、本発明は、これに限定されるわけではなく、第２の帽子は、あらゆる帽子を含む概念である。また、第２の帽子本体１１の開口端部近傍の内周には、スナップボタン取付部１３が設けられており、このスナップボタン取付部１３には、一定の間隔をおいて複数の第２のスナップボタン１４が設けられている。これらの第２のスナップボタン１４は、第２の係止手段を構成する。これらの第２のスナップボタン１４は、第１の帽子１に設けられている第１のスナップボタン４とそれぞれ係合するように設けられている。なお、第２のスナップボタン１４は、雌型のボタンを用いることができるが、本発明は、これに限定されるわけではない。
【００２４】
このように、第２の帽子１０は、第１の帽子の外側を被覆するので、デザイン性を高めたり、他のデザインを有する第２の帽子に交換したりすることが可能となる。また、第１の帽子と第２の帽子とを、複数の第１のスナップボタンと複数の第２のスナップボタンとで留めることができるので、第１の帽子に第２の帽子を容易に着脱させることが可能となる。なお、第１の実施形態では、第１および第２の係止手段として、第１および第２のスナップボタンを用いた例を示したが、本発明は、これに限定されるわけではなく、ワンタッチテープ、ファスナーまたはその他の「係止機能」を有するものを適用することが可能である。また、第１の実施形態では、第１の帽子１の開口端部近傍の外周に、帯状のスナップボタン取付部３を設ける一方、第２の帽子本体１１の開口端部近傍の内周に、スナップボタン取付部１３を設けた例を示したが、本発明は、これに限定されるわけではない。第１の帽子１の頭頂部の外側と第２の帽子１１の頭頂部の内側とを固定するように、第１および第２の係止手段を設けても良い。
【００２５】
［第２の帽子の変形例］
図５は、第２の帽子の変形例の外観図である。この第２の帽子の変形例２０は、一般的なニット帽タイプの帽子の形状を有しており、第２の帽子の変形例本体２１を有している。つば部は有していない。第２の帽子の変形例本体２１は、図１および図２に示した第１の帽子１の外側を被覆する。また、第２の帽子の変形例本体２１の開口端部近傍の内周には、スナップボタン取付部２３が設けられており、このスナップボタン取付部２３には、一定の間隔をおいて複数の第２のスナップボタン２４が設けられている。これらの第２のスナップボタン２４は、第１の帽子１に設けられている第１のスナップボタン４とそれぞれ係合するように設けられている。なお、第２のスナップボタン２４は、雌型のボタンを用いることができるが、本発明は、これに限定されるわけではない。
【００２６】
このように、第２の帽子の変形例２０は、第１の帽子の外側を被覆するので、デザイン性を高めたり、他のデザインを有する第２の帽子に交換したりすることが可能となる。また、第１の帽子と第２の帽子とを、複数の第１のスナップボタンと複数の第２のスナップボタンとで留めることができるので、第１の帽子に第２の帽子を容易に着脱させることが可能となる。なお、第２の実施形態では、第１および第２の係止手段として、第１および第２のスナップボタンを用いた例を示したが、本発明は、これに限定されるわけではなく、ワンタッチテープ、ファスナーまたはその他の「係止機能」を有するものを適用することが可能である。また、第２の実施形態では、第１の帽子１の開口端部近傍の外周に、帯状のスナップボタン取付部３を設ける一方、第２の帽子の変形例本体２１の開口端部近傍の内周に、スナップボタン取付部２３を設けた例を示したが、本発明は、これに限定されるわけではない。第１の帽子１の頭頂部の外側と第２の帽子の変形例本体２１の頭頂部の内側とを固定するように、第１および第２の係止手段を設けても良い。
【符号の説明】
【００２７】
１  第１の帽子
２  表皮
３  スナップボタン取付部
４  第１のスナップボタン
５  保護帯
１０  第２の帽子
１１  第２の帽子本体
１２  つば部
１３  スナップボタン取付部
１４  第２のスナップボタン
２０  第２の帽子の変形例
２１  第２の帽子の変形例本体
２３  スナップボタン取付部
２４  第２のスナップボタン
【図１】
2019218662.tif 000003
【図２】
2019218662.tif 000004
【図３】
2019218662.tif 000005
【図４】
2019218662.tif 000006
【図５】
2019218662.tif 000007